(57)【要約】【課題】液晶容器を定められた位置に固定させ、液晶が注入される収容孔と液晶を注入する注入管との位置を容易かつ正確に合わせ、また、液晶が漏れることを防止する。【解決手段】本発明は、液晶ディスペンサーの液晶容器固定装置に関する。本発明は、案内部材と；液晶容器支持台に支持された液晶容器に結合され、内部に当該液晶容器へ液晶が注入される注入通路が備えられている蓋部と、当該蓋部に延びて形成され、内部に前記案内部材が挿入固定され、前記蓋部を定められた位置と一致させる案内部材挿入溝が備えられている位置固定部と、からなる位置設定蓋と、を含む。本発明によれば、液晶容器が、位置設定蓋の蓋部に結合された状態で、当該位置設定蓋の案内部材挿入溝に案内部材が挿入されると、液晶容器を固定させるだけでなく、位置設定蓋の注入通路の入口が、液晶を注入させる注入管がその入口に挿入され得るように位置する。【選択図】図１
2010107927.tif 000002
【特許請求の範囲】
【請求項１】
案内部材と；
液晶容器支持台に支持された液晶容器に結合され、内部に当該液晶容器へ液晶が注入される注入通路が備えられている蓋部と、当該蓋部に延びて形成され、内部に前記案内部材が挿入固定され、前記蓋部を定められた位置に固定させる案内部材挿入溝が備えられている位置固定部と、からなる位置設定蓋と、
を含む液晶ディスペンサーの液晶容器固定装置。
【請求項２】
前記案内部材は、前記液晶容器支持台に結合されるか、あるいは、液晶容器支持台と一体となっていることを特徴とする、請求項１に記載の液晶ディスペンサーの液晶容器固定装置。
【請求項３】
前記蓋部の注入通路の内壁に延出され、液晶容器の外周面と注入通路の内壁との間に液晶が漏れることを防止するように、液晶容器の入口に挿入される漏れ防止突起が備えられていることを特徴とする、請求項１に記載の液晶ディスペンサーの液晶容器固定装置。
【請求項４】
前記蓋部の注入通路は、蓋部の下面に一定の深さを持つように形成され、液晶容器の入り口部分が結合される結合孔に連通する共通孔と、当該共通孔の内壁と蓋部の側面とを貫通し、その断面が一定の幅と長さを持つ長空形状である収容孔と、からなることを特徴とする、請求項１に記載の液晶ディスペンサーの液晶容器固定装置。
【請求項５】
前記位置設定蓋の蓋部と位置固定部との間に、当該位置設定蓋を液晶容器に結合する際に用いられる治具の一部分が挿入される治具挿入部が備えられていることを特徴とする、請求項１に記載の液晶ディスペンサーの液晶容器固定装置。
【請求項６】
前記位置設定蓋の蓋部と位置固定部とに、レーザーセンサーにより位置を確認する位置確認穴が各々備えられていることを特徴とする、請求項１に記載の液晶ディスペンサーの液晶容器固定装置。
【請求項７】
前記注入通路の入口の上側に位置するように前記蓋部の一面に延出され、その入口への異物の流入を防止する防止顎が備えられていることを特徴とする、請求項１に記載の液晶ディスペンサーの液晶容器固定装置。
【請求項８】
位置ガイド溝が備えられている液晶容器支持台と；
前記液晶容器支持台に支持された液晶容器に結合され、内部に当該液晶容器へ液晶が注入される注入通路が備えられている蓋部と、当該蓋部に延びて形成され、一側に、前記位置ガイド溝に挿入され、前記蓋部を定められた位置に固定させる位置設定突起が備えられている位置固定部と、からなる位置設定蓋と、
を含む、液晶ディスペンサーの液晶容器固定装置。
【発明の詳細な説明】
【技術分野】
【０００１】
本発明は、ヘッドユニットに液晶容器を固定させる液晶ディスペンサーの液晶容器固定装置に関する。
【背景技術】
【０００２】
図１は、液晶ディスペンサーの一例と液晶供給装置の一例とを概略的に示した側面図である。
【０００３】
図１に示されるように、前記液晶ディスペンサーは、フレーム１００と、前記フレーム１００に移動可能に装着され、基板が載置されるステージ２００と、前記フレーム１００にＹ軸方向に移動可能に設けられるヘッド支持台３００と、前記ヘッド支持台３００にＸ軸方向に移動可能に装着され、液晶が吐出されるノズルユニットが備えられているヘッド装置４００と、を含む。
【０００４】
図２に示されるように、前記ヘッド装置４００を構成する支持組立体４１０に液晶容器支持台５１０が装着され、当該液晶容器支持台５１０の内部に液晶容器５２０が挿入されて支持される。前記液晶容器５２０の入り口部分に蓋５３０が結合され、ヘッド装置４００を構成するノズルユニット４３０に連結されるチューブ５４０が蓋５３０を貫通して液晶容器５２０の内部に位置する。前記液晶容器５２０と蓋５３０とは、ねじ結合される。前記蓋５３０とチューブ５４０とは、連結部材５５０により連結される。
【０００５】
前記蓋５３０の下面に液晶容器５２０の入り口部分が結合される結合孔５３１が備えられ、当該結合孔５３１に連通して共通孔５３２が備えられる。当該蓋５３０の外周面に当該共通孔５３２に連通する円形収容孔５３３が備えられる。当該蓋５３０の上面に共通孔５３２に連通する貫通ねじ孔５３４が備えられる。
【０００６】
前記連結部材５５０は、一側の外周面にねじ山等が形成されたねじ部５５１が備えられ、当該連結部材５５０の真ん中を貫通する結合穴５５２が備えられる。前記連結部材５５０の結合穴５５２にチューブ５４０が貫通して結合され、当該連結部材５５０のねじ部５５１が、前記蓋５３０の貫通ねじ孔５３４に締め付けられる。
【０００７】
一方、前記液晶供給装置は、ベースプレート６１０に設けられ、内部に液晶が満たされた液晶タンク６２０と、前記ベースプレート６１０に設けられ、前記液晶タンク６２０に圧力を供給する圧力供給ユニット６３０と、前記液晶タンク６２０と圧力供給ユニット６３０とを連結する連結管６４０と、クリーンブース(clean booth)１０の一側壁に貫通して、その一側壁に結合される連結ユニット６５０と、前記液晶タンク６２０と連結ユニット６５０とを連結する液晶供給管６６０と、を含む。
【０００８】
一般に、液晶ディスペンサーは、液晶滴下工程中、基板に異物が流入することを防止するために、クリーンブース１０の内部に位置する。
【０００９】
前記連結ユニット６５０は、液晶供給管６６０と連結される注入管６５１と、当該注入管６５１を直線往復運動させる駆動ユニット（図示せず）と、を含む。前記注入管６５１は、クリーンブース１０の内部に位置する。
【００１０】
前記液晶供給管６６０に開閉バルブ６７０が装着される。前記開閉バルブ６７０が開くと、液晶供給管６６０に液晶が流れ、当該開閉バルブ６７０が閉じると、液晶供給管６６０に液晶が流れない。
【００１１】
前記液晶ディスペンサーの作動は、次の通りである。
【００１２】
液晶が満たされた液晶容器５２０がヘッド装置４００に各々装着された状態で、ヘッド支持台３００がＹ軸方向に移動し、ヘッド装置４００が各々Ｘ軸方向に移動する。従って、設定された座標値に応じて、ヘッド装置４００がＸ軸、Ｙ軸方向に移動しながら、ノズルユニット４３０を介して液晶を吐出する。
【００１３】
前記液晶容器５２０に液晶を供給する場合、ヘッド支持台３００とヘッド装置４００とを移動させ、ヘッド装置４００に装着された液晶容器５２０を、液晶を供給される位置に移動させる。前記液晶を供給される位置とは、注入管が液晶を供給できる位置を言う。
【００１４】
前記液晶容器５２０が液晶供給位置に移動すると、前記連結ユニット６５０の駆動ユニットが作動して、注入管６５１を液晶容器側に移動させる。前記注入管６５１が液晶容器側に移動するに従って、液晶容器５２０に結合された蓋５３０の円形収容孔５３３に挿入される。
【００１５】
前記開閉バルブ６７０を開くと、液晶タンク６２０の内部に作用する圧力により、液晶が液晶供給管６６０と注入管６５１とを介して液晶容器４１０に供給される。
【００１６】
前記液晶容器４１０に、液晶が設定された量だけ供給されると、開閉バルブ６７０を閉じ、液晶タンク６２０に貯蔵された液晶が、液晶供給管６６０と注入管６５１とを介して液晶容器５２０に供給されることを遮断する。
【００１７】
前記駆動ユニットが作動して、注入管６５１を後方に移動させる。前記注入管６５１が後方に移動するに従って、当該注入管６５１が円形収容孔５３３から抜け出る。
【００１８】
しかしながら、前記のような従来構造は、液晶容器４１０を液晶容器支持台５１０に挿入する際に定位置に挿入できなかったり、液晶容器４１０を液晶容器支持台５１０に定位置に挿入したりした場合も、振動が発生する場合、当該液晶容器４１０が定位置から抜け出る。これにより、蓋の円形収容孔５３３の中心線と注入管６５１の中心線とが、同一線上に位置できなくなり、注入管６５１が、蓋５３０の円形収容孔５３３に挿入時に正確に挿入されなく、蓋５３０と衝突する。
【００１９】
また、注入管が蓋の円形収容孔に挿入され、当該注入管を介して液晶を液晶容器に注入する際に、液晶が注入管６５１を介して液晶容器５２０に注入される過程で、液晶容器５２０の入り口端面と蓋の共通孔５３２の内周面との間に液晶が漏れる。
【発明の開示】
【発明が解決しようとする課題】
【００２０】
本発明の目的は、液晶容器を所定位置に固定させ、液晶が注入される収容孔と液晶を注入する注入管との位置を容易かつ正確に合わせることにある。
【００２１】
また、本発明の他の目的は、液晶が漏れることを防止することにある。
【課題を解決するための手段】
【００２２】
前述のような本発明の目的を達成するために、案内部材と；液晶容器支持台に支持された液晶容器に結合され、内部に当該液晶容器へ液晶が注入される注入通路が備えられている蓋部と、当該蓋部に延びて形成され、内部に前記案内部材が挿入固定され、前記蓋部を定められた位置に固定させる案内部材挿入溝が備えられている位置固定部と、からなる位置設定蓋と、を含む液晶ディスペンサーの液晶容器固定装置が提供されている。
【００２３】
前記案内部材は、前記液晶容器支持台に結合されるか、あるいは、液晶容器支持台と一体となることが望ましい。
【００２４】
前記蓋部の注入通路の内壁に延出され、液晶容器の外周面と注入通路の内壁との間に液晶が漏れることを防止するように、液晶容器の入口に挿入される漏れ防止突起が備えられる。
【００２５】
前記蓋部の注入通路は、蓋部の下面に形成される結合孔に連通する共通孔と、当該共通孔の内壁と蓋部の側面とを貫通し、その断面が一定の幅と長さを持つ長空形状である収容孔と、からなる。前記結合孔に液晶容器の入り口部分が結合される。
【００２６】
前記位置設定蓋の蓋部と位置固定部とに、レーザーセンサーにより位置を確認する位置確認穴が各々備えられていることが望ましい。
【００２７】
前記注入通路の入口の上側に位置するように前記蓋部の一面に延出され、異物がその入口に流入することを防止する防止顎が備えられていることが望ましい。
【発明の効果】
【００２８】
以上説明したように本発明によれば、液晶容器が位置設定蓋の蓋部に結合された状態で、当該位置設定蓋の案内部材挿入溝に案内部材が挿入されると、液晶容器を固定させるだけでなく、位置設定蓋の注入通路の入口が、液晶を注入する注入管がその入口に挿入され得るように位置する。
【発明を実施するための最良の形態】
【００２９】
以下、本発明の液晶ディスペンサーの液晶容器固定装置の実施形態を添付の図面を参照して説明すると、次の通りである。
【００３０】
図３は、本発明の液晶ディスペンサーの液晶容器固定装置の第１の実施形態が備えられた液晶ディスペンサーのヘッド装置及び液晶供給装置の一部分を示した正面図である。
【００３１】
図４は、当該液晶ディスペンサーの液晶容器固定装置の第１の実施形態を示した断面図である。
【００３２】
図３、図４を参照して、本発明の液晶ディスペンサーの液晶容器固定装置の第１の実施形態を説明すると、次の通りである。
【００３３】
液晶ディスペンサーを構成するヘッド支持台３００には、ヘッド装置４００を構成する支持組立体４１０が移動可能に装着される。前記支持組立体４１０に液晶容器支持台７１０が装着され、当該液晶容器支持台７１０に液晶容器７２０が挿入支持される。
【００３４】
前記液晶容器支持台７１０は、一側が前記支持組立体４１０に結合される支え部７１１と、前記支え部７１１の上面の縁に備えられ、液晶容器７２０の外周面を支持する側面支持部７１２と、を含む。前記側面支持部７１２は、支え部７１１の底面に垂直である。
【００３５】
前記液晶容器支持台７１０に案内部材７３０が結合される。前記案内部材７３０は、その断面が矩形であることが望ましい。
【００３６】
前記案内部材７３０の一側の端部が、前記側面支持部７１２の上段部に結合され、当該案内部材７３０に結合される反対側の部分は、前記側面支持部７１２の上側に位置する。前記案内部材７３０は、垂直に位置する。
【００３７】
前記案内部材７３０と側面支持部７１２とは、ボルトにより結合されることが望ましい。
【００３８】
位置設定蓋７４０が、前記液晶容器７２０に結合されると共に、前記案内部材７３０に結合される。
【００３９】
前記位置設定蓋７４０は、液晶容器７２０に結合され、内部に当該液晶容器７２０へ液晶が注入される注入通路（Ｐ１）が備えられている蓋部（Ａ）と、当該蓋部（Ａ）に延びて形成され、内部に前記案内部材７３０が挿入固定され、前記蓋部（Ａ）を定められた位置に固定させる案内部材挿入溝７４１が備えられている位置固定部（Ｂ）と、からなる。
【００４０】
前記位置設定蓋７４０の蓋部（Ａ）と位置固定部（Ｂ）との間には、当該位置設定蓋７４０を液晶容器７２０に結合する際に用いられる治具の一部分が挿入される治具挿入部７４２が備えられていることが望ましい。前記治具挿入部７４２は、一定の幅と深さとを持つ開放溝の形態に形成されることが望ましい。
【００４１】
前記蓋部（Ａ）の下面には、液晶容器７２０の入り口部分が挿入されて結合される結合孔（Ｐ２）が備えられる。
【００４２】
前記結合孔（Ｐ２）は、前記蓋部（Ａ）の下面に一定の内径と深さとを持つように形成された第１の孔７４３と、当該第１の孔７４３に連通され、当該第１の孔７４３の内径よりも小さな内径と一定の深さとを持ち、内周面にねじ山が備えられている第２の孔７４４と、からなる。前記第２の孔７４４には、液晶容器７２０の入り口部分に備えられているねじ山部７２１が締め付けられる。
【００４３】
前記蓋部（Ａ）の注入通路（Ｐ１）は、前記結合孔（Ｐ２）の第２の孔７４４に連通して形成された共通孔７４５と、前記共通孔７４５の内壁と蓋部（Ａの側面とを貫通する収容孔７４６と、からなる。
【００４４】
前記共通孔７４５の内径は、前記第２の孔７４４の内径よりも小さく、一定の深さを持つ。
【００４５】
前記収容孔７４６は、水平に貫通する。前記収容孔７４６は、一定の幅と長さとを持つ長空形状に形成されることが望ましい。その長空の長さ方向は、垂直である。前記収容孔７４６には、注入管６５１が挿入される。前記収容孔７４６が長空形状に形成されると、注入管６５１は、収容孔７４６の真ん中に位置しなく、その真ん中から上側、又は、下側に位置しても収容孔７４６に挿入されることができる。前記注入管６５１が収容孔７４６の真ん中に位置しなく、その真ん中の左側、又は、右側に位置する場合には、ヘッド装置４００を水平方向に移動させ、当該注入管６５１と収容孔７４６との中心を合わせることができる。
【００４６】
前記蓋部（Ａ）の注入通路（Ｐ１）の内壁に、液晶容器７２０の外周面と注入通路（Ｐ１）の内周面との間に液晶が抜け出ることを防止する漏れ防止突起７４７が備えられる。前記漏れ防止突起７４７は、下向きに突出され、リング形状に形成される。前記液晶容器７２０が前記結合孔（Ｐ２）に結合されると、当該漏れ防止突起７４７は、前記液晶容器７２０の入り口内部に挿入され、当該液晶容器７２０の入り口部分は、前記漏れ防止突起７４７の外周面と第２の孔７４４の内周面との間に位置する。前記液晶容器７２０の入り口の内周面と漏れ防止突起７４７の外周面とは、接触する。
【００４７】
前記蓋部（Ａ）には、連結部材７５０が結合される。前記蓋部（Ａ）の上面には、共通孔７４５に連通する貫通ねじ孔７４８が備えられる。前記連結部材７５０の一側の外周面には、ねじ部７５１が備えられる。前記連結部材７５０のねじ部７５１が、前記貫通ねじ孔７４８に締め付けられる。前記連結部材７５０の真ん中には、チューブ７６０が貫通する。前記チューブ７６０の一側の端部が、前記液晶容器７２０内に位置する。
【００４８】
前記注入管６５１が収容孔７４６を貫通して共通孔７４５の内部に位置した場合には、液晶容器７２０の内部に位置するチューブ７６０と互いに会わないことが望ましい。このように、前記注入管６５１とチューブ７６０とが会わないために、チューブ７６０が貫通する連結部材７５０の穴を延ばし、前記収容孔７４６を延ばした場合には、互いに会わないように連結部材７５０の穴と収容孔７４６とを位置させる（配置させる）。このような構造は、収容孔７４６に注入管６５１が挿入され、当該注入管６５１を介して液晶を注入する場合、液晶がチューブ７６０にぶつかることを防止する。
【００４９】
前記位置設定蓋７４０の位置固定部（Ｂ）は、側面に案内部材挿入溝７４１が備えられる。前記案内部材挿入溝７４１は、前記案内部材７３０の上部が水平又は垂直方向に挿入されるように、所定の幅と深さと長さを持つように形成され、その上部は、閉鎖され、下部は、開口される。
【００５０】
前記注入管６５１を含む連結ユニット６５０の一側には、レーザーセンサー６５２が備えられ、前記位置設定蓋７４０の一側には、位置確認穴７４９が備えられる。
【００５１】
前記レーザーセンサー６５２は、注入管６５１の上側に位置することが望ましい。前記位置確認穴７４９は、収容孔７４６の上側に位置するように、蓋部（Ａ）の上部と固定部（Ｂ）の上部とに各々貫通して形成される。
【００５２】
前記レーザーセンサー６５２が位置確認穴７４９の位置を感知すると、当該注入管６５１と収容孔７４６とが同一線上に位置する。
【００５３】
前記レーザーセンサー６５２は、レーザービームを放射し、その放射したレーザービームが反射されて来る時間差を測定する。前記レーザーセンサー６５２が位置確認穴７４９と同一線上に位置した状態で、レーザービームを放射すると、当該レーザービームが、位置確認穴７４９を貫通して支持組立体４１０に反射されることから、相対的に時間が多くかかるので、当該レーザーセンサー６５２と位置確認穴７４９とが同一線上に位置することを確認することができる。
【００５４】
前記収容孔７４６の上側に位置するように、前記蓋部（Ａ）の一面には、図６に示されるように、防止顎（Ｃ）が備えられる。前記防止顎（Ｃ）は、一定の厚さと高さと深さとを持つように、当該蓋部（Ａ）の一面から延びて形成されることが望ましい。前記防止顎（Ｃ）は、クリーンブース１０の上部から噴射される空気により、異物が収容孔７４６に流入することを防止する。
【００５５】
前記連結部材７５０に貫通されたチューブ７６０のもう一方は、ノズルユニット４３０に連結される。
【００５６】
図７、図８は、本発明の液晶ディスペンサーの液晶容器固定装置の第２の実施形態を示した平面図及び正面図である。
【００５７】
図７、図８に示されるように、液晶ディスペンサーの液晶容器固定装置の第２の実施形態は、位置ガイド溝７１３が備えられている液晶容器支持台７１０と；前記液晶容器支持台７１０に支持された液晶容器７２０に結合され、内部に当該液晶容器７２０へ液晶が注入される注入通路（Ｐ１）が備えられている蓋部（Ａ）と、当該蓋部（Ａ）に延びて形成され、一側に、前記位置ガイド溝７１３に挿入される位置設定突起（Ｄ）が備えられている位置固定部（Ｂ）と、からなる位置設定蓋７４０と、を含む。
【００５８】
前記液晶容器支持台７１０は、一側が前記支持組立体４１０に結合される支え部７１１と、前記支え部７１１の上面の縁に備えられ、液晶容器７２０の外周面を支持する側面支持部７１２と、を含む。前記側面支持部７１２は、支え部７１１の底面に垂直である。前記側面支持部７１２の一側には、位置ガイド溝７１３が備えられる。前記位置ガイド溝７１３は、一定の幅と深さと長さとを持ち、上側が開口された形態に形成される。
【００５９】
前記位置設定蓋７４０は、前記第１の実施形態の位置設定蓋７４０のような形状に形成され、位置固定部（Ｂ）に前記位置ガイド溝７１３に挿入される位置設定突起（Ｄ）が備えられる。前記位置設定突起（Ｄ）は、前記位置ガイド溝７１３に水平又は垂直方向に挿入されるように、一定の幅と長さと高さを持つ。
【００６０】
以下、本発明の液晶ディスペンサーの液晶容器固定装置の作用効果を説明すると、次の通りである。第１の実施形態と第２の実施形態の作用効果は、同一であるので、第１の実施形態についてのみ説明する。
【００６１】
前記位置設定蓋７４０の蓋部（Ａ）に液晶容器７２０を結合する。この場合には、蓋部（Ａ）の結合孔（Ｐ２）に液晶容器７２０の入り口部分を挿入し、当該液晶容器７２０を回して液晶容器７２０のねじ部７２１と第２の孔７４４とを締め付ける。
【００６２】
前記液晶容器７２０が結合された位置設定蓋７４０を案内部材７３０と結合する。この場合には、液晶容器７２０を液晶容器支持台７１０に挿入させながら、案内部材７３０が当該位置設定蓋７４０の案内部材挿入溝７４１に挿入される。
【００６３】
前記チューブ７６０が貫通した連結部材７５０を位置設定蓋７４０に結合する。
【００６４】
前記連結ユニット６５０に備えられているレーザーセンサー６５２を用いて、注入管６５１と位置設定蓋７４０の収容孔７４６との位置を確認した後、当該注入管６５１を前方に移動させて収容孔７４６に挿入する。前記注入管６５１を介して液晶を液晶容器７２０に注入する。
【００６５】
前記液晶容器７２０への液晶注入が終わると、注入管６５１を後方に移動させ、収容孔７４６から取り出す。
【００６６】
本発明は、液晶容器７２０が位置設定蓋７４０の蓋部（Ａ）に結合された状態で、当該位置設定蓋７４０の案内部材挿入溝７４１に案内部材７３０が挿入されると、液晶容器が固定されて動かなくなり、また、位置設定蓋の収容孔が、注入管が直線往復運動する線上に位置できる。従って、振動が発生する場合にも、液晶容器及び収容孔の位置が変わらなくなる。
【００６７】
前記収容孔７４６と注入管６５１とが同一線上に位置しなくなる場合には、ヘッド装置４００を左又は右に移動させ、当該収容孔７４６と注入管６５１とを同一線上に位置させることができる。また、レーザーセンサー６５２を用いて、収容孔７４６と注入管６５１とが同一線上に位置することを確認することができる。ここで、同一線上とは、注入管６５１が液晶容器７２０側に直線に移動する場合、注入管６５１が収容孔７４６に挿入される位置を言う。
【００６８】
前記収容孔７４６と注入管６５１とが同一線上に位置するので、注入管６５１を液晶容器側に移動させて収容孔７４６に挿入する際に、注入管６５１が位置設定蓋７４０とぶつかることを防止する。
【００６９】
前記位置設定蓋７４０の内部に漏れ防止突起７４７が備えられるので、注入管６５１が収容孔７４６に挿入され、液晶を液晶容器７２０に注入する際に、液晶が、液晶容器７２０の入り口端面と注入通路の内壁との間に漏れることを防止する。
【００７０】
前記収容孔７４６が長空に形成され、その長空が垂直に位置するので、ヘッド装置４００が上下方向に移動できない場合、注入管６５１が上下に位置できる許容範囲が広がる。
【図面の簡単な説明】
【００７１】
【図１】液晶ディスペンサーの一例及び液晶供給装置を示した側面図である。
【図２】前記液晶ディスペンサーを構成するヘッド装置の一部分を示した側面図である。
【図３】本発明の液晶ディスペンサーの液晶容器固定装置の第１の実施形態が備えられたヘッド装置の一部分を示した側面図である。
【図４】本発明の液晶ディスペンサーの液晶容器固定装置の第１の実施形態を示した断面図である。
【図５】本発明の液晶ディスペンサーの液晶容器固定装置の第１の実施形態を構成する位置設定蓋を切断して示した斜視図である。
【図６】本発明の液晶ディスペンサーの液晶容器固定装置の第１の実施形態を構成する位置設定蓋の防止顎を示した断面図である。
【図７】本発明の液晶ディスペンサーの液晶容器固定装置の第２の実施形態を示した平面図である。
【図８】本発明の液晶ディスペンサーの液晶容器固定装置の第２の実施形態を示した正面図である。
【符号の説明】
【００７２】
３００  ヘッド支持台
４００  ヘッド装置
４１０  支持組立体
７１０  液晶容器支持台
７１１  支え部
７１２  側面支持部
７２０  液晶容器
７３０  案内部材
７４０  位置設定蓋
７４１  案内部材挿入溝
７４２  治具挿入部
７４３  第１の孔
７４４  第２の孔
７４５  共通孔
７４６  収容孔
【図１】
2010107927.tif 000003
【図２】
2010107927.tif 000004
【図３】
2010107927.tif 000005
【図４】
2010107927.tif 000006
【図５】
2010107927.tif 000007
【図６】
2010107927.tif 000008
【図７】
2010107927.tif 000009
【図８】
2010107927.tif 000010